(57)【要約】【課題】歯科用ドリル装置において、穴あけ深さを確実かつ簡単に決定できるようにする。【解決手段】本発明に係る歯科用ドリル装置10は、ストッパ要素28を有するドリル12を備える。ドリル12は、一端部にドリル端部16を有する刃部14を有し、他端部にシャンク部18を有する。シャンク部18には、軸方向に互いに間隔をもった複数の固定凹部30を有するホルダ部26が配置され、各固定凹部30は、ドリル12の軸方向Aに直角の当接面32によってシャンク部18の受入端部領域20に臨む方向に仕切られている。ホルダ部26にドリル当接面36を有するストッパ要素28が取付けられ、ストッパ要素28は係合要素58を有している。係合要素58は、当接面32に係合して協働する対向当接面35を有している。当接面32と対向当接面35との間の係合の作用によって、ストッパ要素28は、ドリル12に保持されてドリル12の受入端部領域20の方向へ移動できなくなる。【選択図】図４
2007069002.tif 000002
【特許請求の範囲】
【請求項１】
ドリル（１２）及び該ドリルに取付けられたストッパ要素（２８）を有する歯科用ドリル装置であって、前記ドリル（１２）は、一端部に前方のドリル端部（１６）を有する刃部（１４）を有し、他端部にドリルホルダ装置に受入れられる受入端部領域（２０）を有するシャンク部（１８）を有し、該シャンク部（１８）は、前記ストッパ要素（２８）のためのホルダ部（２６）を有し、前記ストッパ要素（２８）は、前記ドリル端部（１６）の方向に臨んで該ドリル端部（１６）から所望の距離で前記ドリル（１２）に保持されるドリル当接面（３６）を有し、前記ドリル（１２）の前記ホルダ部（２６）に前記ドリル（１２）の軸方向（Ａ）に互いに間隔を有する複数の固定凹部（３０）が配置され、前記ストッパ要素（２８）は、前記固定凹部（３０）の１つに係合する係合要素（５８）を有しており、前記固定凹部（３０）は、前記受入端部領域（２０）の方向側で、前記軸方向（Ａ）に少なくともほぼ直角に延びる当接面（３２）によって仕切られ、前記係合要素（５８）は、適当な前記当接面（３２）に係合して協働する対向当接面（３５）を有していることを特徴とする歯科用ドリル装置。
【請求項２】
軸方向（Ａ）を規定するドリル（１２）、延長要素（７４）及び該延長要素に取付けられたストッパ要素（２８）を有する歯科用ドリル装置であって、前記ドリル（１２）は、一端部に前方のドリル端部（１６）を有する刃部（１４）を有し、他端部が前記延長要素（７４）に保持されるようになっており、前記延長要素（７４）は、ドリルホルダ装置に受入れられる受入端部領域（２０）及び前記ストッパ要素（２８）のためのホルダ部（２６）を有し、前記ストッパ要素（２８）は、前記ドリル端部（１６）の方向に臨んで該ドリル端部（１６）から所望の距離で前記延長要素（７４）に保持されるドリル当接面（３６）を有し、前記延長要素（７４）の前記ホルダ部（２６）に前記延長要素（７４）の軸方向（Ａ）に互いに間隔をもって複数の固定凹部（３０）が配置され、前記ストッパ要素（２８）は、前記固定凹部（３０）の１つに係合する係合要素（５８）を有し、前記固定凹部（３０）は、前記軸方向（Ａ）に少なくともほぼ直角に延びる当接面（３２）によって前記受入端部領域の方向側で仕切られ、前記係合要素（５８）は、適当な前記当接面（３２）に係合して協働する対向当接面（３５）を有していることを特徴とする歯科用ドリル装置。
【請求項３】
前記ストッパ要素（２８）は、径方向外側の円筒状の案内面（３７）を有していることを特徴とする請求項１又は２に記載の歯科用ドリル装置。
【請求項４】
患者の口腔に対して固定位置で固定されるドリル治具（１００）が設けられ、該ドリル治具（１００）は、前記ストッパ要素（２８）の前記案内面（３７）と協働する円筒状の係合案内面（１０６）を有する凹部を有していることを特徴とする請求項３に記載の歯科用ドリル装置。
【請求項５】
前記ドリル治具（１００）は、前記係合案内面（１０６）に対して、径方向内側に突出して前記ストッパ要素（２８）の前記ドリル当接面（３６）と協働する肩部（１０８）を有していることを特徴とする請求項４に記載の歯科用ドリル装置。
【請求項６】
前記各当接面（３２）には、前記ストッパ要素（２８）と協働して前記当接面（３２）に当接する前記対向当接面（３５）を保持する截頭円錐状のクランプ面（４２）が設けられていることを特徴とする請求項１乃至５のいずれかに記載の歯科用ドリル装置。
【請求項７】
前記クランプ面（４２）は、前記係合要素（５８）と協働することを特徴とする請求項６に記載の歯科用ドリル装置。
【請求項８】
前記各固定凹部（３０）は、ロック凹部（８２）を有し、前記係合要素（５８）は、適当な前記ロック凹部（８２）に圧力嵌めによって係合して前記ストッパ要素（２８）を円周方向に固定することを特徴とする請求項１乃至５のいずれかに記載の歯科用ドリル装置。
【請求項９】
前記ストッパ要素（２８）は、スリーブ形状に形成され、前記係合要素（５８）は、弾性フィンガとして設けられたばね要素（６４、８４）上に配置されていることを特徴とする請求項１乃至８のいずれかに記載の歯科用ドリル装置。
【請求項１０】
前記ストッパ要素（２８）は、前記ドリル当接面（３６）に隣接して刃部（１４）に当接する径方向内側の外装面を有していることを特徴とする請求項１乃至９のいずれかに記載の歯科用ドリル装置。
【発明の詳細な説明】
【技術分野】
【０００１】
本発明は、請求項１の前文に係る歯科用ドリル装置及び請求項２に係る歯科用ドリル装置に関するものである。
【背景技術】
【０００２】
この種の歯科用ドリル装置は、特許文献１によって公知である。この文献は、ドリルに保持されたストッパ要素を有する歯科用ドリル装置を開示している。このストッパ要素は、周方向にドリルの周りに完全に係合して、軸方向に移動可能にドリルに保持されている。
【特許文献１】米国特許第５８９０８９７号明細書
【０００３】
このドリルは、刃部に露出されたドリル端部及びシャンク端面が露出されたシリンダシャンクを有している。ドリル端部及びシャンク端面の間には、軸方向に互いに間隔を有し、互いに対向する数個の球状キャップ形の固定凹部を有するホルダ部分が配置されている。
【０００４】
このストッパ要素は、ドリル当接面を有する円筒形状を有している。このストッパ要素は、軸方向にドリルの直径にほぼ対応する中央貫通開口が設けられている。ストッパ要素の径方向に、挿入開口が貫通されている。挿入開口には、ばね付勢されたピン状の係合要素が配置されている。
ストッパ要素は、ドリル端部の方向からドリルに取付けることができ、係合要素が固定凹部の１つに係合することによってドリルに圧入嵌めをもって固定することができる。
【０００５】
従って、ドリル当接面は、ドリル端部から規定された所望の距離に配置されており、その結果、最大穴あけ深さが規定される。顎骨に穴あけ中に、所望の穴あけ深さに到達したとき、ドリル当接面は顎骨すなわち歯茎に当たる。
【０００６】
特許文献１は、また、ストッパ要素の変形実施形態を開示している。この実施形態では、係合要素は、外側ねじ部が設けられて、挿入開口にねじ込まれている。係合要素を固定凹部の１つに対向させて係合要素を回転させることによってその固定凹部に係合する。
【０００７】
特許文献２は、円周周りに配置されて軸方向に互いに間隔をもった環状のマーキングを有するドリルを開示しており、これらのマーキングは、ドリルの表面層とは色が異なっている。穴あけ中に、環状のマーキングは、実際の穴あけ深さを予測するのに使用される。これらのリングはドリルの表面処理によって作られている。
【特許文献２】欧州特許第０６４３５６７号明細書
【０００８】
特許文献３は、周方向に延びて軸方向に互いに間隔を有する着色されたリングを有するドリルを開示している。その目的のため、ドリルは、軸方向に互いに間隔を有し着色剤で満たされた環状溝を有している。穴あけ中に、これらの着色されたリングの補助によって実際の穴あけ深さを読取ることができる。
【特許文献３】米国特許第５９４１７０６号明細書
【０００９】
特許文献４は、ドリル及びストッパ要素を備えた歯科用ドリル装置を開示している。このドリルは、ドリル端部及びシリンダシャンクを有している。ドリル端部へ向けられたシリンダシャンクの端部領域において、これはカフ状（ｃｕｆｆ−Ｌｉｋｅ）の厚肉領域を有している。この厚肉領域は、細い截頭円錐表面によってドリル端部方向に仕切られている。このストッパ要素は、スリーブ形状を有し、その一端面にドリル当接面を有し、他端面に隣接して厚肉領域の周りに係合するためのクランプ領域を有している。ストッパ要素は、ドリル端部の方向からドリルに押付けることができ、これにより、クランプ領域がスナップ嵌めクロージャによって厚肉領域に嵌合される。ストッパ要素は、異なる穴あけ深さに対応して異なる長さに設計される。
【特許文献４】米国特許第６５１４２５８号明細書
【００１０】
特許文献５は、ドリル及びこのドリルの周りにスリーブの形態で係合するストッパ要素で構成された歯科用ドリル装置を開示している。このドリルは露出されたドリル端部を有する刃部及びシリンダシャンクを有している。刃部とシリンダシャンクとの間にホルダ部が形成されている。このホルダ部は、らせん状のドリルの尖端溝の回転方向と反対方向に形成されたねじ部を有している。ストッパ要素は、先ずドリル端部の方向からドリルに内側のねじが取付けられて、そのねじにねじ込まれる。ストッパ要素は、ドリル端部の方向に露出されたドリル当接面を有している。最大穴あけ深さを設定するため、ストッパ要素が回転されて所望の軸方向位置へ移動される。穴あけ中にドリルが穴あけする材料との相互作用によってドリル当接面が停止するとすぐに、すなわち、ドリルと共に回転するのが妨げられると、直ちにねじの効果によってドリルは自動的に穴あけされた穴の外へ移動する。
【特許文献５】米国特許第６７３９８７２号明細書
【００１１】
これらの公知の歯科用ドリル装置及び歯科用ドリルは、異なる欠点を有している。穴あけ深さを決定するための視覚的要素のみが設けられたこれらのドリルは、使用中に実際の穴あけ深さを正確に決定できず、また、視覚的マーキングは汚され、このため読取り不能になるという欠点を有している。
【００１２】
ストッパ要素を有する歯科用ドリル装置では、取扱いが煩雑であることが分かり、例えば、特許文献４に係るものでは、ストッパ要素の長さは、穴あけする穴のそれぞれの穴あけ深さに対して個々に適合させなければならず、また、ドリルストッパ要素は、一旦使用されると再使用することができない。
【００１３】
特許文献１に開示された歯科用ドリル装置の使用中に、ストッパ要素のドリル当接面が
顎骨又は歯茎に接触したとき、その圧力嵌めの結合力に打勝って、穴あけされた穴が深すぎることになる。
【発明の開示】
【発明が解決しようとする課題】
【００１４】
本発明の一つの目的は、ドリルに対するドリル当接面の位置、すなわち、これによる穴あけする穴の深さを確実かつ簡単な方向で決定することができる歯科用ドリル装置を提案することである。
加えて、本発明による歯科用ドリル装置の全ての要素は、再使用することができる。
【課題を解決するための手段】
【００１５】
本発明によって、これらの目的は請求項１及び２に係る歯科用ドリル装置によって達成される。
少なくともドリルの軸にほぼ直角に向けられた当接面によって、及び、当接面に係合して協働する対向当接面を有する係合要素によって、ストッパ要素に軸方向にドリル端部から離れる方向の力が作用したとき、ストッパ要素は、ドリル又は延長要素に動かないように確実に保持される。
【００１６】
好ましい実施形態では、ストッパ要素は、径方向外側に円筒状の案内表面を有している。これは、ストッパ要素を案内し、それによって例えば穴あけする穴の位置及び方向を決めるドリル治具上でドリルを正確に位置決めできるようにする。
【００１７】
他の好ましい実施形態では、歯科用ドリル装置は、患者の口腔に対して固定された位置に固定されるドリル治具を備えている。このドリル治具は、案内面と協働するための係合案内面を有する円筒状の凹部を有している。この協働によって、穴あけされる穴の穴あけ方向及び位置は、ドリル治具によって決定される。穴あけされる穴の不正確な方向及び不正確な位置は回避される。
【００１８】
他の好ましい実施形態では、ドリル治具は、また、係合案内面に対して径方向内側に突出してストッパ要素のドリル当接面と協働する肩部を有している。この実施形態では、最大穴あけ深さは、この肩部とドリル当接面との間の協働によって決定される。
【００１９】
他の好ましい実施形態では、ストッパ要素は、スリーブ状に形成され、係合要素は好ましくは弾性フィンガとして形成されたばね要素に配置されている。この実施形態は、径方向にコンパクトな構造を可能にする。この実施形態は、また、ストッパ要素を受入端部領域の方向から取付けられるようにし、受入凹部の１つに係合する係合要素によってホルダ部に取付けられたストッパ要素は、特定の力に打勝つことによってドリル端部の方向に移動可能であるから、これにより、係合要素は他の受入凹部に移動させることができる。
本発明に係る歯科用ドリル装置の他の好ましい形態は、従属クレームで明らかにされている。
更なる顕著な利点及び作動モードは、この詳細な説明及び図面によって明らかにされる。
【発明を実施するための最良の形態】
【００２０】
本発明は、図面に単に概略的に示された実施形態に基づいて、以下に更に詳細に説明する。
図１は、本発明に係る歯科用ドリル装置１０の第１実施形態を示している。歯科用ドリル１２は、一端部に露出されたドリル端部１６を有する刃部１４を有し、他端部に露出された受入端部領域２０を有するシャンク部１８を有している。受入端部領域２０は、一般的に公知のドリルホルダ装置に受入れられるようになっており、１つの面として形成された回り止め手段２２及び周方向に部分的に延びる溝２４として設けられた軸方向締結手段２４´を有している。回り止め手段２２及び軸方向締結手段２４´は、歯科用ドリル１２が例えばドリル装置又はハンドドリルの一部であるドリルホルダ装置に固定、結合できることを示している。
【００２１】
シャンク部１８は、ストッパ要素２８のためのホルダ部２６を有している。このホルダ部２６は、外周溝２９として設けられた５つの固定凹部３０が形成されたシャンク部１８の円筒状の厚肉部によって形成されている。歯科用ドリル１２の軸方向Ａにおいて、全ての溝２９は、同じ幅を有し、歯科用ドリル１２の径方向において、これらは同じ深さを有している。軸方向Ａにおいて、各固定凹部３０は、軸方向Ａに直角の環状の当接面３２によって、シャンク部１８の受入端部領域２０の方向の一端で仕切られている。各固定凹部３０は、同様に、軸方向Ａに直角の他方の環状の仕切面によってドリル端部１６の方向に仕切られている。
【００２２】
歯科用ドリル装置１０のストッパ要素２８は、開いた環状、すなわち、Ｃ形のクランプリングによって形成されている。ストッパ要素２８は、固定凹部３０の１つに挿入されて径方向にクランプされるようになっている。ストッパ要素２８は係合要素５８を形成する。
【００２３】
以下の説明において、ストッパ要素２８は、固定凹部３０の１つに挿入された図１に示される状態で記載されている。
ストッパ要素２８の外径は、ホルダ部分２６の外径よりも大きく、また、刃部１４のドリル径よりも大きくなるように設定されている。軸方向Ａにおいて測定したクランプリングの幅は、当接面３２から固定凹部３０の反対側の仕切面までの距離よりも少なくとも僅かに小さく設定されている。この構成により、固定凹部３０の１つに嵌め込まれたストッパ要素２８は、ホルダ部２６及び刃部１４から径方向に突出する。当接面３２に対向するストッパ要素２８の対向当接面３５は、軸方向Ａに直角で当接面３２と協働するものである。ストッパ要素２８は、軸方向Ａにおいて対向当接面３５から離れてドリル端部１６に向けて軸方向Ａに直角に配置したドリル当接面３６を有している。
【００２４】
ストッパ要素２８は、好ましくは、軸方向Ａに垂直な平面に対して対称に形成されて、ドリル当接面３９と対向当接面３５とが同じ形状である。
顎骨に穴あけする穴の深さを設定するため、ストッパ要素２８は固定凹部３０の適当な凹部に挿入される。最大穴あけ深さは、ドリル端部１６からドリル当接面３６への距離によって決定される。別の最大穴あけ深さが要求される場合は、ストッパ要素２８はその固定凹部３０から移動させて別の固定凹部３０に挿入することができる。
【００２５】
軸方向Ａに直角に配置されて、軸方向Ａに直角に配されたストッパ要素２８の対向当接面３５と協働する軸方向Ａに直角に配置された当接面３２により、嵌め合い結合によって穴あけ深さの不用意な変動が防止される。また、ストッパ要素２８を固定凹部３０の１つから引抜いて別の固定凹部３０に挿入することにより、非常に簡単な方法で最大穴あけ深さを調整することが可能である。
【００２６】
他の実施形態及び構造が以下に説明されており、同一又は同様の要素に対して同じ参照符号が使用されている。
図２に示される歯科用ドリル装置１０の第２実施形態において、この歯科用ドリル１２は、ホルダ部分２６の形状を除いて、主に第１実施形態の歯科用ドリル１２と同じ構造である。
【００２７】
ホルダ部分２６において、シャンク部１８は、３つの周方向のカフ状厚肉領域４０を有している。軸方向Ａにおいて刃部１４の最も近くに配置された厚肉領域４０´は、刃部１４から間隔を有している。各厚肉部分４０は、ドリル端部１６に対向して、歯科用ドリル１２の軸方向Ａに直角の当接面３２を有している。当接面３２に隣接して受入端部領域２０へ向う各厚肉領域４０は、最初は一定の直径を有している。その後、各厚肉領域４０は、円筒状のシャンク１８の直径へ縮径している。この縮径の結果、截頭円錐状のクランプ面４２を介することになる。
【００２８】
個々の厚肉領域４０の間に固定凹部３０が形成されている。更なる固定凹部３０は、刃部１４と刃部１４の最も近くに配置された厚肉部４０´との間に形成される。各固定凹部３０は、受入端部領域２０の方向において、当接面３２によって仕切られている。
【００２９】
ストッパ要素２８は、直線部を含むＣ形断面の中空円筒形状を有し、主に開いたクランプリングとして形成されて、厚肉領域４０の１つに径方向に押込まれるようになっている。ストッパ要素２８の外装面は、刃部１４のドリル直径よりも大きい直径を有する円筒状に設けられている。ストッパ要素２８の一端面は、ドリル当接面を形成し、ストッパ要素２８が厚肉領域４０の１つに押込まれたとき、軸方向Ａに直角に配置されてドリル端部１６の方向に臨む。
【００３０】
ストッパ要素２８の外装面は、ドリル治具１００の係合案内面１０６と協働する案内面３７を形成し、これは以下に更に記載されている。
以下の記載において、ストッパ要素２８は、厚肉領域４０の１つに取付けられたステーク（ｓｔａｋｅ）として説明されている。
【００３１】
ストッパ要素２８は、Ｃ形円筒状の内装面から突出して円周方向に延びて軸方向に互いに間隔を有する２つの隆起４４、４６によって、歯科用ドリル１２のホルダ部２６の厚肉領域４０に保持されている。この目的のため、受入端部領域に対向する隆起４４は、クランプ面４２と協働する係合クランプ面４８を有している。他方の隆起４６は、係合要素５８を形成し、当接面３２と協働する対向当接面３５を有している。対向当接面３５は、当接面３２と同様、軸方向Ａに直角である。隆起４４、４６の（軸方向Ａにおける）幅は、厚肉領域４０の互いの軸方向の間隔よりも小さく設定されている。
【００３２】
厚肉領域４０の１つに取付けられたストッパ要素２８は、その内装面と共に、ドリル端部１６の方向に隣接して配置された厚肉領域４０上に配置され、その結果として、ストッパ要素２８は、その厚肉領域４０上で支持される。
【００３３】
ストッパ要素２８が刃部１４の最も近くに配置された厚肉領域４０´に取付けられたとき、ストッパ要素２８は、刃部１４で支持される。この目的のため、刃部１４は、厚肉部４０´に対向して、ストッパ要素２８の支持面１１０に係合するように形成された截頭円錐状の外装面を有している。支持面１１０は、ドリル当接面３６から始まってストッパ要素２８の内装面の直径へ縮径されている。
【００３４】
第２実施形態に係る歯科用ドリル装置１０の取扱いは、上述の第１実施形態に係る歯科用ドリル装置の取扱いとほぼ同様である。最大穴あけ深さは、刃部１４のドリル端部１６からのドリル当接面３６の距離によって決定される。最大穴あけ深さは、ストッパ要素２８をホルダ部２６から径方向に引抜いて所望の厚肉領域４０に取付けることによって変更することができる。当接面３２と当接面３２と協働する対向当接面３５との間の嵌め合い結合によって、軸方向Ａにおける最大穴あけ深さの不用意な変動が防止される。軸方向Ａにおけるストッパ要素２８の確実な取付は、対向当接面３５が当接面３２に堅固に押付けられることによるクランプ面４２と係合クランプ面４８との協働によって確保される。径方向において、ストッパ要素２８は、クランプリングとして設けられることによって歯科用ドリル１２に圧力嵌めで固定される。
【００３５】
本発明に係る歯科用ドリル装置の第３実施形態が図３及び図４示されている。
ホルダ部２６の形状を除いて、この歯科用ドリル１２は、第１実施形態に係る歯科用ドリル１２とほぼ同様に形成されている。
【００３６】
シャンク部１８は、一定の直径を有し、ホルダ部２６に外周溝５２として設けられた３つの固定凹部３０を有している。ホルダ部２６は、刃部１４に隣接している。各固定凹部３０は、シャンク部１８の受入端部領域２０側へ向けられて歯科用ドリル１２の軸方向Ａに直角の当接面３２によって一端部が仕切られ、傾斜状のクランプ面４２によって他端部が仕切られている。
【００３７】
各固定凹部３０は、当接面３２とクランプ面４２との間に一定の直径の円筒面を有している。クランプ面４２は、截頭円錐状の外装面に配置され、固定凹部３０の円筒面からドリル端部１６の方向に傾斜状に上昇している。シャンク部１８の直径は、刃部１４のドリル直径よりも小さく設定されている。
【００３８】
ストッパ要素２８は、スリーブ状の形状を有し、シャンク部１８の受入端部２０の方向から歯科用ドリル１２に取付けられるようになっている。以下の記載において、ストッパ要素２８は歯科用ドリル１２に取付けられた状態で説明されている。
【００３９】
固定凹部３０の１つに係合するための係合要素５８の領域を除いて、ストッパ要素２８内径は、刃部１４のドリル直径にほぼ等しい。ストッパ要素２８は、ドリル端部１６に向う軸方向Ａにおける一端部に軸方向Ａに直角の前方のドリル当接面３６を有し、他端部に端面６０を有している。ドリル当接面３６に隣接してストッパ要素２８の径方向内側の外装装面に含まれる軸方向端部領域は、刃部１４に支持されている。円筒状の外装面上に配置されたストッパ要素２８の外装面は、案内面３７を形成して、ドリル治具１００の係合案内面１０６と協働することができる（図９参照）。ストッパ要素２８をドリル治具１００に容易に挿入できるようにする場合、ストッパ要素２８にドリル当接面３６に隣接して截頭円錐面によって形成された外装面領域を設ける。
【００４０】
ストッパ要素２８は、端面６０から始まって軸方向Ａに沿ってストッパ要素２８の約３分の２の長さまで延びて端面６０の方向に開放する６つの凹部６２を有し、これにより、弾性アームとして設けられた３つのばね要素６４がストッパ要素２８に形成されている。ばね要素６４は、円周方向に互いに等間隔に配置されている。各ばね要素６４は、その自由端領域において、固定凹部３０の１つに係合するための係合要素５８を有している。各係合要素５８は、受入端部領域２０の方向に臨む対向当接面３５を有しており、この対向当接面３５は、固定凹部３０を仕切る当接面３２と協働するためのものである。
【００４１】
係合クランプ面４８は、係合要素５８の対向当接面３５から軸方向Ａに沿って離れる方向に向けられて、固定凹部３０のクランプ面４２の１つと協働するようになっており、係合要素５８が固定凹部３０の１つに係合したとき、それぞれの固定凹部３０のクランプ面４２で支持される。係合クランプ面４８とクランプ面４２との間の協働及びばね要素６４の力によって、対向当接面３５は、押圧されて、当接面３２に支持される。対向当接面３５は、同様に、軸方向Ａに直角である。
【００４２】
第３実施形態に係る歯科用ドリル装置１０は、以下の方法で使用される。
ストッパ要素２８は、ドリル当接面３６を前方にして受入端部領域２０の方向から歯科用ドリル１２に取付けられる。係合要素５８の係合クランプ面４８がシャンク部１８に押付けるようになると、直ちにばね要素６４が径方向に撓み、これにより、対向当接面３５が弾性変形によって軸方向Ａに直角ではない位置へ押される。対向当接面３５の径方向内側端縁部が当接面３２を通過すると、直ちにばね要素６４は、軸方向Ａに平行な向きに移動し、これにより、係合要素５８は固定凹部３０に係合して、対向当接面３５は軸方向Ａに直角な位置に移動される。ばね要素６４のばね力及びクランプ面４２と係合クランプ面４２との間の協働により、対向当接面３５が押圧されて当接面３２に接触する。当接面３２と対向当接面３５との間に作用する圧入嵌めにより、ストッパ要素２８は、固定凹部３０の１つに保持されて、受入端部領域２０の方向に移動することができない。
【００４３】
ドリル端部１６の方向へ向けられた最小限の力が作用することによって、ストッパ要素２８は、ドリル端部１６の方向に移動させることができ、ストッパ要素２８の係合要素５８は、ドリル端部１６の方向の次に配置された固定凹部３０に移動させることができる。傾斜状のクランプ面４２及び係合クランプ面４８により、ばね要素６４は、ストッパ要素２８がドリル端部１６に向って移動したとき、径方向に撓ませられる。係合要素５８は、上述の方法で次の固定凹部３０に係合する。次の固定凹部３０がない場合には、ストッパ要素２８は、刃部１４を通って引抜くことができる。係合要素５８は、この場合、刃部１４のチップ溝に案内される。
【００４４】
係合要素５８が固定凹部３０の１つに係合された場合、第３実施形態のストッパ要素２８は、嵌め合い結合によって歯科用ドリル１２に保持されて、受入端部領域２０の方向に移動できないようにする。このようにして、ドリル当接面３６のドリル端部１６からの距離が不用意に増大するのが防止される。これに対して、ドリル当接面３６のドリル端部１６からの距離は、ドリル端部１６の方向へのストッパ要素２８の移動によって減少させることができる。
【００４５】
本発明に係る歯科用ドリル装置の第４実施形態が図５乃至図８に示されている。
この歯科用ドリル装置１０は、第１実施形態の歯科用ドリルに類似した構造の歯科用ドリル１２を備えるが、第４実施形態の歯科用ドリル１２は、ホルダ部を有していない。ドリルシャンク７０が歯科用ドリル１２の刃部１４に一体に形成されており、このドリルシャンク７０は、第１実施形態の歯科用ドリルと同様に、露出されたアセンブリ端部領域７６、軸締結手段２４´及び回り止め手段２２を備えている。ドリルシャンク７０は、第１実施形態の歯科用ドリルのシャンク部よりも短い。アセンブリ端部領域７６は、対応する延長要素７４の受入凹部７２に受入れられるようになっている。
【００４６】
延長要素７４は、１つの径方向段付部を有するシャンク部１８を備えている。より大きな径を有する段付のシャンク部１８の領域は、ホルダ部２６を形成している。シャンク部１８は、ホルダ部２６の内部に受入凹部７２が設けられている。シャンク部１８は、受入凹部７２の反対側の端部に受入端部領域２０を有している。受入端部領域２０は、ドリルホルダ装置に受入れられるようになっている。この目的のため、受入端部領域２０は、軸方向締結手段２４´及び回り止め手段２２を有しており、これらは、歯科用ドリル１２の軸方向締結手段２４´及び回り止め手段２２と同様に形成されている。スリーブ状のストッパ要素２８をホルダ部２６に取付けることができる。
【００４７】
以下の記述において、歯科用ドリル装置１０は、歯科用ドリル１２のアセンブリ端部領域７６がばね要素、好ましくは軸方向締結手段２４´に係合するスプリングアーム７７によって受入凹部７２に保持された状態で説明されている。更に、ストッパ要素２８は、ドリル端部１６の方向からホルダ部２６に押付けられる。
【００４８】
ホルダ部２６は、主に、スリーブ状のストッパ要素２８の案内面として機能する径方向外側の円筒外装面を有している。ホルダ部２６の外径は、歯科用ドリル１２のドリル直径よりも僅かに大きく設定されている。複数の溝によって形成されたチャンネル状構造がホルダ部２６に設けられている。案内溝７８が歯科用ドリル１２の軸方向Ａに延びており、ドリル端部１６の方向に開放している。３つの固定凹部３０が案内溝７８から円周方向に延びる円周方向溝８０として形成されており、これらの円周方向溝８０の全ては同じ方向になっている。円周方向溝８０は、全て同じ長さを有し、案内溝７８から円周方向に離れた端部領域にロック凹部８２を有している。案内溝７８（円周方向において）及び円周方向溝８０（軸方向において）の断面はほぼ同じであり、外装面に隣接して径方向に平行に延びる側壁８３を有している。案内溝７８及び円周方向溝８０の溝底は、円筒形状である。ロック凹部８２は、固定凹部３０の他の領域よりも径方向に深く、側壁８３が径方向に延びて溝底に続いており、これにより、固定凹部３０の領域において、より深くなっている。
各固定凹部３０は、軸方向Ａにほぼ直角の当接面３２を有しており、これは、受入端部領域２０の方向の固定凹部３０を仕切る側壁の部分によって形成されている。
【００４９】
ホルダ部２６に取付けることができるストッパ要素２８は、スリーブ状の形状を有している。ストッパ要素２８は、軸方向Ａにおいて、ドリル端部１６に向う一端部に軸方向Ａに直角に配置された前方のドリル当接面３６を有し、他端部に他端面６０を有している。円筒状の外装面を配置するストッパ要素２８の外装面は、案内面３７を形成している。図９に関連して更に詳細に説明するドリル治具１００を使用するとき、案内面３７は、ドリル治具１００の係合案内面１０６と協働する。
【００５０】
円周方向に配置されて弾性フィンガとして設けられたばね要素８４は、ストッパ要素２８上のスリット状凹部８６によって形成されている。この凹部８６は、端面６０から始まって最初に軸方向Ａに延び、そして、円周方向に延びている。
【００５１】
ばね要素８４の自由端領域には、径方向内側へ突出して溝７８、８０に係合するピン状の係合要素５８が締結されている。ばね要素８４の径方向内側表面に隣接する係合要素５８は、円筒状部分及び径方向後端にロック凹部８２と協働する球状部分を有している。この円筒状部分は、当接面３２の１つと協働する対向当接面３５を形成している。球状部分及び円筒状部分の直径は、固定凹部３０内の係合要素５８が軸方向Ａに小さい遊びを有するように設定されている。
【００５２】
第４実施形態に係る歯科用ドリル装置１０は、以下の方法で使用される。
歯科用ドリル１２は、アセンブリ領域７６が延長要素７４の受入凹部７２に挿入され、その結果、スプリングアーム７７が歯科用ドリル１２の軸方向締結手段２４´に係合する。
【００５３】
ストッパ要素２８は、端面６０を前方にしてドリル端部１６の方向から歯科用ドリル１２に取付けられてホルダ部２６に向って軸方向Ａに沿って移動される。ストッパ要素２８をホルダ部２６に取付けるとき、係合要素５８が案内溝７８に確実に整合するように注意しなければならない。ストッパ要素２８が更に移動されたとき、係合要素５８は、案内溝７８に案内される。
【００５４】
押込まれたストッパ要素２８によってスプリングアーム７７が径方向に撓むことができなくなり、その結果、歯科用ドリル１２は、延長要素７４の受入凹部７２に締結される。
ストッパ要素２８の軸方向Ａの変位によって係合要素が所望の固定凹部３０に整合されると、ストッパ要素２８は、円周方向に回転させることができ、その結果、係合要素５８は、固定凹部３０のロック凹部８２に係合する。
【００５５】
係合要素５８が固定凹部３０の１つに係合したとき、ストッパ要素２８は、当接面３２と対向当接面３５との間の嵌め合い結合によって、軸方向Ａに、特に、シャンク部１８の受入端部領域２０の方向に固定される。係合要素５８がロック凹部８３の１つに係合したとき、ストッパ要素２８は、圧力嵌めによって円周方向の回転に対して堅固に保持される。
【００５６】
第４実施形態に係る歯科用ドリル装置１０の所望の最大穴あけ深さは、ドリル当接面３６のドリル端部１６からの距離によって決定される。
最大穴あけ深さは、非常に簡単な方法で調整することができる。そうするためには、ストッパ要素２８が先ず円周方向に案内溝７８の方向に回転されて、圧力嵌め結合に打勝つことによって、係合要素５８が係合していたロック凹部８２の外へ移動される。その後、ストッパ要素２８が軸方向Ａに移動されて、係合要素５８が他の固定凹部３０に整合され、ストッパ要素２８を回転させることにより、係合要素５８がその固定凹部３０に係合する。
【００５７】
ストッパ要素２８が延長要素７４のホルダ部２６に予め取付けられることも同様に考えることができる。この場合、スプリングアーム７７は、ストッパ要素２８に対する移動の自由度が大きいので、歯科用ドリル１２のアセンブリ領域７６が受入開口７２に挿入されたとき、スプリングアーム７７は、撓んで軸方向締結手段２４´をロックすることができる。
【００５８】
上述の実施形態において、所望の穴あけ深さは、ドリル当接面３６のドリル端部１６からの距離によって決定される。顎骨にあける穴が所望の穴あけ深さに達したとき、当接面は顎骨すなわち顎骨の周囲の歯茎を押圧する。
【００５９】
図９は、第２実施形態に係る歯科用ドリル装置の他の形態を示している。この形態は、ストッパ要素２８が取付けられた歯科用ドリル１２を案内するドリル治具１００を有している。
【００６０】
ドリル治具１００は、患者の口腔に対して固定位置に締結されるようになっている。ドリル治具１００は、好ましくは、上顎又は下顎の窪みに結合される。ドリル治具１００は、固定されたドリル治具スリーブ１０４を挿入させるドリル治具プレート１０２を有している。ドリル治具スリーブ１０４の径方向内側表面は、ストッパ要素２８の案内表面３７に対する係合案内表面１０６を形成している。ドリル治具１０４は、軸方向端部領域に径方向内側に突出する環状肩部１０８を有している。この肩部１０８は、ストッパ要素２８のドリル当接面３８に対する対向当接部を形成する。
【００６１】
図９に示される歯科用ドリル装置１０は、以下の方法で使用される。
患者を治療するため、ドリル治具１００は、患者の口腔に、又は、口腔に隣接して配置され、口腔に対する位置が固定される。ドリル治具１００の肩部１０８は、穴あけされる穴、すなわち、顎骨に向けられる。所望の穴あけ深さは、歯科用ドリル１２上のストッパ要素２８により、ストッパ要素２８を厚肉部４０の１つに取付けることによって決定される。この実施形態では、所望の最大穴あけ深さは、ドリル当接面３６の肩部１０８からの距離によって決定される。穴あけする穴の位置及び方向は、ドリル治具のドリルスリーブ１０４によって形成される凹部へのストッパ要素２８の挿入及びストッパ要素２８の案内面３７と対向当接面１０６との間の協働により決定される。
【００６２】
したがって、図９に係る歯科用ドリル装置によって、非常に簡単な方法で、所望の位置に所望の方向に所望の深さで穴あけすることができる。穴あけ工程中に穴あけされた穴から出た材料によって生じる阻害要因は、穴あけする穴の正確さに影響することがない。
【００６３】
ドリル治具１００の肩部１０８がない場合でも同様に考えることができる。これにより、最大穴あけ深さは、当接面３６のドリル端部１６からの距離によって設定される。最大穴あけ深さに達したとき、ドリル当接面３６は、顎骨すなわち歯茎に当接する。
【００６４】
もちろん、ドリル治具１００の使用は、第２実施形態に係る歯科用ドリルに限定されるものではない。第３実施形態に係る歯科用ドリル又は第４実施形態に係る延長要素と組合わせた歯科用ドリルは、同様に、ドリル治具と共に使用することができる。
【００６５】
ドリル治具を使用しないで穴あけがされた場合、第３及び第４実施形態の径方向案内面３７は、ある要素に横方向に当接することによって、穴あけ中に容易に案内することができる。
【００６６】
全ての実施形態において、固定凹部の数は、もちろん、殆どあらゆる所望の範囲で変更することができ、これらの実施形態に示された数に限定されることはない。
同様に、最初の３つの実施形態は、延長要素を有していないが、これらは、第４実施形態と同様、実際には延長要素を利用することができる。そして、ホルダ部は、この歯科用ドリルには設けられないが、代わりに、延長要素に設けられる。従って、ストッパ要素は、歯科用ドリルには保持されないが、代りに、延長要素に保持される。必要な調整は、当業者には、直ちに分かる。
【００６７】
第４実施形態は、同様に、延長要素なしで実施することができる。そして、第１乃至第３実施形態の歯科用ドリルと同様、ホルダ部が歯科用ドリルのシャンク部に配置される。その結果、ストッパ要素は、歯科用ドリルに保持される。必要な調整は、当業者にはやはり明白である。
【図面の簡単な説明】
【００６８】
【図１】シリンダシャンクのホルダ部に軸方向に互いに間隔をもった５つの溝を有する歯科用ドリル及びこれら溝の１つに嵌め込まれるクランプリングとして設けられたストッパ要素を備えた本発明の第１実施形態に係る歯科用ドリル装置を示す斜視図である。
【図２】シリンダシャンクのホルダ部に軸方向に互いに間隔をもった３つの厚肉領域を有する歯科用ドリル及びこれらの厚肉領域の１つに取付けられるストッパ要素を備えた本発明の第２実施形態に係る歯科用ドリル装置を示す斜視図である。
【図３】ホルダ部に３つの溝が形成された歯科用ドリル及びこれらの溝に軸方向に固定することができるスリーブ形状のストッパ要素を備えた本発明の第３実施形態に係る歯科用ドリル装置を示す斜視図である。
【図４】断面で示されたストッパ要素を有する図３に示される歯科用ドリルの側面図である。
【図５】延長要素に取付けられた歯科用ドリル及び延長要素に保持されたストッパ要素を備えた本発明の第４実施形態に係る歯科用ドリル装置を示す斜視図である。
【図６】透視図で示されたストッパ要素を有する図５に示される歯科用ドリル装置の斜視図である。
【図７】歯科用ドリルが側面図で示され、延長要素及びストッパ要素が縦断面図で示された図５及び図６の歯科用ドリル装置を示す図である。
【図８】図５乃至図７に示される歯科用ドリル装置の側面図である。
【図９】図２に示される歯科用ドリル装置の他の実施形態において歯科用ドリルがドリル治具で案内された本発明に係る歯科用ドリル装置を示す縦断面図である。
【符号の説明】
【００６９】
１０  歯科用ドリル装置、１２  歯科用ドリル、１４  刃部、１６  ドリル端部、１８  シャンク部、２０  受入端部領域、２６  ホルダ部、２８  ストッパ要素、３０  固定凹部、３２  当接面、３５  対向当接面、３６  ドリル当接面、５８  係合要素、７４  延長要素、Ａ  軸方向
【図１】
2007069002.tif 000003
【図２】
2007069002.tif 000004
【図３】
2007069002.tif 000005
【図４】
2007069002.tif 000006
【図５】
2007069002.tif 000007
【図６】
2007069002.tif 000008
【図７】
2007069002.tif 000009
【図８】
2007069002.tif 000010
【図９】
2007069002.tif 000011